【手続補正書】
【提出日】平成19年3月13日(2007.3.13)
【手続補正１】
【補正対象書類名】明細書
【補正対象項目名】特許請求の範囲
【補正方法】変更
【補正の内容】
【特許請求の範囲】
【請求項１】  アナログ信号を処理する方法であって、
ＡＤＣを用いて前記アナログ信号をデジタル信号に変換するステップと、
関係付けをした周波数応答を有するデジタル・デシメーション・フィルタを設けるステップと、
関係付けをした周波数応答を有するデジタル・インタポレーション・フィルタを設けるステップと、
前記デジタル・デシメーション・フィルタの関係付けをした周波数応答と前記デジタル・インタポレーション・フィルタの関係付けをした周波数応答とを組み合せて、トランジションバンド部分を有する組み合わされた周波数応答を生成するステップと、
前記デジタル・デシメーション・フィルタを用いて前記デジタル信号をフィルタリングするステップと、
前記トランジションバンド部分において前記デジタル信号を減衰させるステップと、
その後、前記デジタル・インタポレーション・フィルタを用いて前記デジタル信号をフィルタリングするステップと
を含むことを特徴とする方法。
【請求項２】  請求項１において、前記デジタル信号は、一連のデジタル・デシメーション・フィルタを用いてフィルタリングされ、周波数応答の前記トランジションバンド部分は、前記一連のデシメーション・フィルタの最終段のデジタル・デシメーション・フィルタの周波数応答と前記デジタル・インタポレーション・フィルタの周波数応答との組み合せによって生じることを特徴とする方法。
【請求項３】  請求項１において、前記デジタル信号は、一連のデジタル・インタポレーション・フィルタを用いてフィルタリングされ、周波数応答の前記トランジションバンド部分は、前記一連のインタポレーション・フィルタの初段のデジタル・インタポレーション・フィルタの周波数応答と前記デジタル・デシメーション・フィルタの周波数応答との組み合せによって生じることを特徴とする方法。
【請求項４】  請求項１において、前記デジタル信号は、一連のデジタル・デシメーション・フィルタと一連のデジタル・インタポレーション・フィルタを用いてフィルタリングされ、周波数応答の前記トランジションバンド部分は、前記一連のデシメーション・フィルタの最終段のデジタル・デシメーション・フィルタの周波数応答と前記一連のインタポレーション・フィルタの初段のデジタル・インタポレーション・フィルタの周波数応答との組合せによって生じることを特徴とする方法。
【請求項５】  請求項１において、前記トランジションバンド部分に一般的に対応する周波数範囲で前記デジタル信号を減衰させる前記ステップの前に、前記デジタル信号に対する追加信号処理を行うステップをさらに含むことを特徴とする方法。
【請求項６】  請求項５において、前記追加信号処理は、低音処理と、空間エフェクトと、トーンコントロールと、リバーブ処理とからなる群から選択された少なくとも１つの処理を備えたことを特徴とする方法。
【請求項７】  請求項１において、
デジタル・デシメーション・フィルタを用いて前記デジタル信号をフィルタリングする前記ステップの後に、前記デジタル信号をデータ圧縮するステップと、
その後、前記トランジションバンド部分に一般的に対応する周波数範囲で前記デジタル信号を減衰させる前記ステップの前に、前記デジタル信号をデータ伸長するステップと
をさらに含むことを特徴とする方法。
【請求項８】  アナログ信号を処理するシステムであって、
ＡＤＣと、
関係付けをした周波数応答を有するデジタル・デシメーション・フィルタと、
関係付けをした周波数応答を有するデジタル・インタポレーション・フィルタと、
トランジションバンド部分の周波数を減衰させる関連付けをした周波数応答を有するエイリアス・コレクション・フィルタであって、前記トランジションバンド部分は、組み合わされた周波数応答に関連付けをされ、前記組み合わされた周波数応答は、前記デジタル・デシメーション・フィルタの周波数応答と前記デジタル・インタポレーション・フィルタの周波数応答とを組み合せて生み出されるエイリアス・コレクション・フィルタと
を含み、
前記ＡＤＣは、前記アナログ信号をデジタル信号に変換し、前記デジタル・デシメーション・フィルタは、前記デジタル信号をデシメーションし、前記エイリアス・コレクション・フィルタは、デシメーションされた前記デジタル信号を減衰し、前記デジタル・インタポレーション・フィルタは、デシメーションされ、減衰された前記デジタル信号をインタポレーションすることを特徴とするアナログ信号処理システム。
【請求項９】  請求項８において、前記デジタル・デシメーション・フィルタは、一連の個別のデジタル・デシメーション・フィルタを備え、前記組み合わされた周波数応答の歪みバンド部分は、前記一連のデシメーション・フィルタの最終段のデジタル・デシメーション・フィルタの周波数応答と前記デジタル・インタポレーション・フィルタの周波数応答とを組み合わせることにより生じることを特徴とするアナログ信号処理システム。
【請求項１０】  請求項８において、前記デジタル・インタポレーション・フィルタは、一連の個別のデジタル・インタポレーション・フィルタを備え、前記組み合わされた周波数応答の歪みバンド部分は、前記一連のインタポレーション・フィルタの初段のデジタル・インタポレーション・フィルタの周波数応答と前記デジタル・デシメーション・フィルタの周波数応答とを組み合わせることにより生じることを特徴とするアナログ信号処理システム。
【請求項１１】  請求項８において、前記デジタル・デシメーション・フィルタは、一連の個別のデジタル・デシメーション・フィルタを備え、前記デジタル・インタポレーション・フィルタは、一連の個別のデジタル・インタポレーション・フィルタを備え、前記組み合わされた周波数応答の前記歪みバンド部分は、前記一連のデシメーション・フィルタの最終段のデジタル・デシメーション・フィルタの周波数応答と前記一連のインタポレーション・フィルタの初段のデジタル・インタポレーション・フィルタの周波数応答とを組み合わせることにより生じることを特徴とするアナログ信号処理システム。
【請求項１２】  請求項８において、前記デジタル・インタポレーション・フィルタは、ハーフバンド・フィルタであり、前記歪みバンド部分はナイキストの近くにあることを特徴とするアナログ信号処理システム。
【請求項１３】  請求項８において、デシメーションされた前記デジタル信号およびデシメーションされ、減衰された前記デジタル信号は、同一のサンプリングレートの信号を有することを特徴とするアナログ信号処理システム。
【請求項１４】  請求項８において、デシメーションされ、減衰された前記デジタル信号に応答して、デシメーションされ、減衰され、処理された前記デジタル信号を供給する信号プロセッサをさらに備えたことを特徴とするアナログ信号処理システム。
【請求項１５】  請求項１４において、前記信号プロセッサは、低音マネージャと、空間エフェクト装置と、トーンコントロール装置と、リバーブ装置とからなる群から選択された少なくとも１つを備えたことを特徴とするアナログ信号処理システム。
【請求項１６】  請求項８において、
デシメーションされた前記デジタル信号に応答して前記信号に対するデータ圧縮を
行うデータ圧縮器と、
デシメーションされ、圧縮された前記デジタル信号に応答して前記信号をデータ伸長するデータ伸長器と
をさらに備えたことを特徴とするアナログ信号処理システム。
【請求項１７】  関係付けをした周波数応答を有するデジタル・デシメーション・フィルタを用いてアナログ信号から変換された、デシメーションされたデジタル信号を処理する方法であって、
関係付けをした周波数応答を有するデジタル・インタポレーション・フィルタを設けるステップと、
前記デジタル・デシメーション・フィルタの関係付けをした周波数応答と前記デジタル・インタポレーション・フィルタの関係付けをした周波数応答とを組み合せて、トランジションバンド部分を有する組み合わされた周波数応答を生成するステップと、
前記トランジションバンド部分においてデシメーションされた前記デジタル信号を減衰させるステップと、
前記デジタル・インタポレーション・フィルタを用いて、デシメーションされ、減衰された前記デジタル信号をフィルタリングするステップと
を含むことを特徴とするデジタル信号処理方法。
【請求項１８】  請求項１７において、デシメーションされ、減衰された前記デジタル信号に対して追加信号処理するステップをさらに含むことを特徴とするデジタル信号処理方法。
【請求項１９】  請求項１８において、前記追加信号処理は、低音コレクションと、空間エフェクトと、トーンコントロールと、リバーブ処理とからなる群から選択された少なくとも１つを含むことを特徴とするデジタル信号処理方法。
【請求項２０】  請求項１７において、
デシメーションされた前記デジタル信号をデータ圧縮するステップと、
その後、デシメーションされ、圧縮された前記デジタル信号をデータ伸長するステップと
をさらに含むことを特徴とするデジタル信号処理方法。
【請求項２１】  請求項１７において、複数の信号処理特性のうちの少なくとも１つは、デシメーションされた前記デジタル信号中に符号化され、
前記デジタル信号処理方法は、減衰させる前記ステップの前に、前記少なくとも１つの前記信号処理特性のうちの少なくとも１つを復号化するステップをさらに含み、
前記少なくとも１つの信号処理特性は、デシメーションされた前記デジタル信号によって運ばれる隠れ符号に基づいて、前記複数の信号処理特性の中から選択されることを特徴とするデジタル信号処理方法。
【請求項２２】  請求項２１において、前記信号処理特性は、振幅復号化を含むことを特徴とするデジタル信号処理方法。
【請求項２３】  関係付けをした周波数応答を有するデジタル・デシメーション・フィルタを用いてアナログ信号から変換された、デシメーションされたデジタル信号を処理するシステムであって、
関係付けをした周波数応答を有するデジタル・インタポレーション・フィルタと、
トランジションバンド部分の周波数を減衰する関係付けをした周波数応答を有するエイリアス・コレクション・フィルタであって、前記トランジションバンド部分は、組み合わされた周波数応答と関係付けられ、前記組み合わされた周波数応答は、前記デジタル・デシメーション・フィルタの周波数応答と前記デジタル・インタポレーション・フィルタの周波数応答とを組み合わせて生成されるエイリアス・コレクション・フィルタと
を備え、
前記エイリアス・コレクション・フィルタは、デシメーションされた前記デジタル信号を減衰し、前記デジタル・インタポレーション・フィルタは、前記デシメーションされ、減衰された信号をインタポレーションすることを特徴とするシステム。
【請求項２４】  請求項２３において、前記デシメーションされ、減衰された信号に応答して、デシメーションされ、減衰され、処理された信号を生成する信号プロセッサをさらに備えたことを特徴とするシステム。
【請求項２５】  請求項２４において、前記信号プロセッサは、低音コレクション装置と、空間エフェクト装置、トーンコントロール装置と、リバーブ装置とからなる群から選択された少なくとも１つを備えたことを特徴とするシステム。
【請求項２６】  請求項２３において、
デシメーションされた前記デジタル信号に応答して、デシメーションされた前記デジタル信号をデータ圧縮するデータ圧縮器と、
圧縮され、デシメーションされた前記デジタル信号に応答して、圧縮され、デシメーションされた前記デジタル信号をデータ伸長するデータ伸長器と
をさらに備えたことを特徴とするシステム。
【請求項２７】  ＡＤＣを用いてアナログ信号から変換され、関係付けをした周波数応答をそれぞれ有する複数のデジタル・デシメーション・フィルタから選択されたデジタル・デシメーション・フィルタを用いてデシメーションされた、デシメーションされたデジタル信号を処理する方法であって、前記デジタル・デシメーション・フィルタは、前記変換された信号によって運ばれる隠れ符号に基づいて選択される方法であって、
関係付けをした周波数応答を有するデジタル・インタポレーション・フィルタを設けるステップと、
個別に選択可能な複数のエイリアス・コレクション・フィルタを設けるステップであって、前記エイリアス・コレクション・フィルタはそれぞれ、トランジションバンド部分の周波数を減衰される関係付けをした周波数応答を有し、前記トランジションバンド部分は、組み合わされた周波数応答と関係付けをされ、前記組み合わされた周波数応答は、前記選択されたデジタル・デシメーション・フィルタの周波数応答と前記デジタル・インタポレーション・フィルタの周波数応答とを組み合せて生成されるステップと、
前記隠れ符号に基づいて前記エイリアス・コレクション・フィルタの１つを選択するステップと、
前記選択されたエイリアス・コレクション・フィルタを用いて前記トランジションバンド部分のデシメーションされた前記デジタル信号を減衰させるステップと、
前記デジタル・インタポレーション・フィルタを用いてデシメーションされ、減衰された前記デジタル信号をフィルタリングするステップと
を含むことを特徴とする方法。
【請求項２８】  請求項２７において、デシメーションされ、減衰された前記デジタル信号に対する追加信号処理を行うステップをさらに含むことを特徴とする方法。
【請求項２９】  請求項２８において、前記追加信号処理は、低音コレクションと、空間エフェクトと、トーンコントロールと、リバーブ処理とからなる群から選択された少なくとも１つを含むことを特徴とする方法。
【請求項３０】  請求項２７において、複数の信号処理特性のうちの少なくとも１つは、デシメーションされた前記デジタル信号中に符号化され、前記方法は、減衰させるステップの前に、前記少なくとも１つの信号処理特性のうちの少なくとも１つをデジタル信号から復号化するステップをさらに含み、前記少なくとも１つの信号処理特性は、デシメーションされた前記デジタル信号によって運ばれる前記隠れ符号に基づいて、前記複数の信号処理特性の中から選択されることを特徴とする方法。
【請求項３１】  請求項３０において、前記信号処理特性は、振幅復号化を含むことを特徴とする方法。
【請求項３２】  ＡＤＣを用いてアナログ信号から変換され、関係付けをした周波数応答をそれぞれ有する複数のデジタル・デシメーション・フィルタから選択されたデジタル・デシメーション・フィルタを用いてデシメーションされた、デシメーションされたデジタル信号を処理するシステムであって、前記デジタル・デシメーション・フィルタは、前記変換された信号によって運ばれる隠れ符号に基づいて選択されるシステムであって、
関係付けをした周波数応答を有するデジタル・インタポレーション・フィルタと、
トランジションバンド部分の周波数を減衰させる関係付けをした周波数応答をそれぞれ有する、個別に選択可能な複数のエイリアス・コレクション・フィルタであって、前記トランジションバンド部分は、組み合わされた周波数応答と関係付けをされ、前記組み合わされた周波数応答は、前記選択されたデジタル・デシメーション・フィルタの周波数応答と前記デジタル・インタポレーション・フィルタの周波数応答とを組み合せて生成されるエイリアス・コレクション・フィルタと、
前記隠れ符号に応答して前記エイリアス・コレクション・フィルタの１つを選択するセレクタと
を備え、
前記選択されたエイリアス・コレクション・フィルタは、デシメーションされた前記デジタル信号に応答することを特徴とするデジタル信号処理システム。
【請求項３３】  請求項３２において、デシメーションされ、減衰された前記デジタル信号に応答する信号プロセッサをさらに備えたことを特徴とするシステム。
【請求項３４】  請求項３３において、前記信号プロセッサは、低音コレクション装置と、空間エフェクト装置と、リバーブ装置とからなる群から選択された少なくとも１つを備えたことを特徴とするシステム。
【請求項３５】  請求項３２において、複数の信号処理特性のうちの少なくとも１つは、デシメーションされた前記デジタル信号中に符号化され、前記システムは、前記選択されたエイリアス・コレクション・フィルタに先立って、デシメーションされた前記デジタル信号に応答し、そして前記隠れ符号に応答して、前記信号処理特性をデシメーションされた前記デジタル信号から復号化する復号器をさらに備え、
前記少なくとも１つの信号処理特性のうちの少なくとも１つは、デシメーションされた前記デジタル信号によって運ばれる前記隠れ符号に基づいて、前記複数の信号処理特性から選択されることを特徴とするシステム。
【請求項３６】  請求項３５において、前記信号処理特性のうちの少なくとも１つは、振幅復号化を備えたことを特徴とするシステム。
【請求項３７】  デジタル・デシメーション・フィルタを備えたＡＤＣを用いて入力アナログ信号から変換されたデジタル信号であって、デジタル・インタポレーション・フィルタを備えたＤＡＣを用いてその後にアナログ出力に変換されたデジタル信号を処理するのに用いるための、エイリアス歪みを低減するフィルタを設計する方法であって、前記デシメーション・フィルタは関連付けをした周波数応答を有し、前記インタポレーション・フィルタは関連付けをした周波数応答を有する方法であって、
ａ）歪みバンド部分を突き止めるステップであって、前記歪みバンド部分は、組み合わされた周波数応答と関係付けをされ、前記組み合わされた周波数応答は、前記デジタル・デシメーション・フィルタの周波数応答と前記デジタル・インタポレーション・フィルタの周波数応答とを組み合わせることにより生成されるステップと、
ｂ）前記歪みバンド部分に一般的に対応する周波数範囲のデジタル信号を減衰させる周波数応答を有する第１の減衰フィルタを選択するステップと、
ｃ）前記デシメーション・フィルタと前記インタポレーション・フィルタのインパルス応答を畳み込んで、関係付けをした時間分散を有する第１のインパルス応答を生成するステップと、
ｄ）前記デシメーション・フィルタ、前記減衰フィルタ、および前記インタポレーション・フィルタのインパルス応答を畳み込んで、関係付けをした時間分散を有する第２のインパルス応答を音響的に最も重要な領域に生成するステップと、
ｅ）前記音響的に最も重要な領域における第２のインパルス応答の時間分散と、同じ領域における第１のインパルス応答の時間分散とを比較するステップと、
ｆ）前記音響的に最も重要な領域における前記第２のインパルス応答の時間分散の幅が同じ領域における前記第１のインパルス応答の時間分散の幅を超える場合に、前記第１の周波数応答と異なる周波数応答を有し、一般に前記歪みバンド部分に対応する周波数範囲のデジタル信号を減衰させる、別の減衰フィルタを選択するステップと、
ｇ）前記音響的に最も重要な領域における前記第２のインパルス応答の時間分散の幅が、同じ領域における前記第１のインパルス応答の時間分散の幅になるまで、前記ステップｄ、前記ステップｅ、および前記ステップｆを繰り返すステップと
を含むことを特徴とする方法。
【請求項３８】  請求項３７において、前記畳み込まれたインパルス応答は、対数スケール上にプロットされることを特徴とする方法。
【請求項３９】  請求項３７において、前記第１および第２インパルス応答の音響的に最も重要な領域は、一般的に、約−８０ｄＢを超える領域内にあることを特徴とする方法。
【請求項４０】  請求項３７において、前記第１および第２インパルス応答のうち振幅が大きい方の領域は、音響的により重要であることを特徴とする方法。
【手続補正２】
【補正対象書類名】明細書
【補正対象項目名】００４５
【補正方法】変更
【補正の内容】
【００４５】
さらに他の例を図８に示す。この例では、高データ記憶密度を実現するため、幾つかの形式のデータ圧縮が用いられている。このようなシステムの例としては、ＡＣ３、ＭＰＥＧオーディオ圧縮等がある。圧縮フォーマットに対する復号化、伸長を担当する再生システムのセクションは、エイリアス・コレクション・フィルタ１３０の前段に配置しなければならず、このセクションとしては、例えば、復号器／他のプロセッサ１２５が考えられる。このブロックも、エイリアス・コレクション・フィルタの前段で、他の処理を行うことができる。
【手続補正３】
【補正対象書類名】明細書
【補正対象項目名】００４６
【補正方法】変更
【補正の内容】
【００４６】
図９は上記米国特許に記載のオリジナル技術によるＨＤＣＤシステムの例を示す。このシステムにおいてエンコーダで使用されるデシメーション・フィルタは、最大フィデリティ（fidelity）を得るため、プログラムマテリアルの内容に基づいて動的に選択される。エイリアス・コレクション・フィルタ１３０は、使用されているデシメーション・フィルタとインタポレーション・フィルタ１５０の両方のフィルタに基づいて最適になるように設計されており、また、デシメーション・フィルタの選択が隠し符号（hidden code）サイドチャンネルを介して再生器（reproducer）に伝送されるため、エイリアス・コレクション・フィルタを動的に選択し、任意の所定時間に、デシメーション・フィルタを最大限に補足することができる。これは、隠し符号情報を回復し、隠し符号に含まれているコマ
ンドを復号化し、制御信号１２９を用いて複数のエイリアス・コレクション・フィルタからエイリアス・コレクション・フィルタ１３０を選択する隠し符号／フィルタ選択装置１２８によって実現される。
【手続補正４】
【補正対象書類名】明細書
【補正対象項目名】００４７
【補正方法】変更
【補正の内容】
【００４７】
図１０は復号器／他のプロセッサ１２５が付加された、図９と同様のＨＤＣＤシステムの他の例を示しており、この例としては、ＨＤＣＤ振幅復号器がある。振幅復号器の機能も、符号コマンド復号器１２８および制御信号１２６を介して隠し符号サイドチャンネルによって制御されている。このシステムでは、振幅の復号化は、符号化の特性を復号化が追従するように、エイリアス・コレクション・フィルタ１３０の前段で行なわなければならない。
【手続補正５】
【補正対象書類名】図面
【補正対象項目名】図４
【補正方法】変更
【補正の内容】
【図４】
2002540667.tif 000001
【手続補正６】
【補正対象書類名】図面
【補正対象項目名】図７
【補正方法】変更
【補正の内容】
【図７】
2002540667.tif 000002
【手続補正７】
【補正対象書類名】図面
【補正対象項目名】図８
【補正方法】変更
【補正の内容】
【図８】
2002540667.tif 000003
【手続補正８】
【補正対象書類名】図面
【補正対象項目名】図９
【補正方法】変更
【補正の内容】
【図９】
2002540667.tif 000004
【手続補正９】
【補正対象書類名】図面
【補正対象項目名】図１０
【補正方法】変更
【補正の内容】
【図１０】
2002540667.tif 000005